(57)【要約】【課題】複数のフィルタを光路上に配置する場合であっても、大型化することなく、照明ムラを防止することができる顕微鏡装置を提供する。【解決手段】顕微鏡装置１は、フレーム部１０１と、ランプハウス１０７と、フィルタ部２１４，２１５，２１６と、を備え、ランプハウス１０７とフレーム部１０１との距離が光路Ｌ上におけるフィルタ部２１４，２１５，２１６の挿脱状況に関わらず、一定である。【選択図】図３
2018092076.tif 000002
【特許請求の範囲】
【請求項１】
照明光を照射する光源部と、
前記光源部が照射した照明光を所定の方向へ導く照明光学系と、
前記照明光学系を収容する収容部を有するフレーム部と、
前記光源部を収容するとともに、前記フレーム部に対して着脱自在に取り付けられたランプハウスと、
前記照明光学系の光路に沿って該光路上に挿脱可能に配置されてなり、互いに異なる機能のフィルタを有する複数のフィルタ部と、
を備え、
前記ランプハウスと前記フレーム部との距離は、前記光路上における前記複数のフィルタ部の挿脱状況に関わらず、一定であることを特徴とする顕微鏡装置。
【請求項２】
前記照明光学系は、前記照明光を拡散する拡散板を有し、
前記複数のフィルタ部は、前記光源部と前記拡散板との間における前記光路上に配置されてなることを特徴とする請求項１に記載の顕微鏡装置。
【請求項３】
前記光源部は、ＬＥＤであり、
前記機能は、減光調整、色温度補正および色補正のいずれか１つ以上であることを特徴とする請求項１または２に記載の顕微鏡装置。
【請求項４】
前記ランプハウスは、筒状をなす挿入部であって、先端部の内周側に前記複数のフィルタ部を前記光路方向に沿って着脱自在に固定する固定部が設けられ、前記収容部に挿入されて取り付けられる挿入部を有することを特徴とする請求項１〜３のいずれか一つに記載の顕微鏡装置。
【請求項５】
前記固定部の内周側には、雌ネジが形成され、
前記フィルタ部は、
前記フィルタと、
外径が前記挿入部の内径と略一致する筒状をなし、外周側に前記雌ネジと螺合する雄ネジが形成され、内周側で前記フィルタを保持する第１筒部と、
を有することを特徴とする請求項４に記載の顕微鏡装置。
【請求項６】
筒状をなし、前記照明光学系の一部を収容し、前記挿入部の先端部に着脱自在に取り付けられ、前記収容部に挿入される光学ユニットをさらに備えることを特徴とする請求項４または５に記載の顕微鏡装置。
【請求項７】
前記照明光学系は、
前記照明光を標本に集光するコンデンサレンズと、
前記コンデンサレンズの瞳面と共役な位置に前記照明光を集光するレンズと、
を有し、
前記複数のフィルタ部は、前記コンデンサレンズと前記レンズとの間における前記光路上に配置されてなることを特徴とする請求項１に記載の顕微鏡装置。
【発明の詳細な説明】
【技術分野】
【０００１】
本発明は、ステージ上に載置された標本を観察する顕微鏡装置に関する。
【背景技術】
【０００２】
従来、顕微鏡装置では、照明光学系の光路中に複数のフィルタを有するフィルタ挿脱機構を設け、色温度の調整や減光を行う技術が知られている（特許文献１参照）。この技術では、フィルタ挿脱機構を光源からの光線を平行光に変換する平行レンズと開口絞り面上に集光させる集光レンズとの間に配置し、複数のフィルタを保持するフィルタ保持部材を照明光学系の光軸上に回動させる操作部材を操作することによって、複数のフィルタを照明光学系の光路中に配置する。
【先行技術文献】
【特許文献】
【０００３】
【特許文献１】特許第４４０２１９３号公報
【発明の概要】
【発明が解決しようとする課題】
【０００４】
ところで、照明光学系の光路内にフィルタを挿入するのは、ユーザの使い方や好みによって大きく変わる。複数のフィルタを使用しないユーザは、上述した特許文献１のフィルタ挿脱機構が不要となる。特に、光源にＬＥＤ（Light  Emitting  Diode）ランプを用いた場合、従来の顕微鏡装置で用いられていたハロゲンランプと違い調光操作で色味が変わらないため、フィルタ挿脱機構が不要となる。
【０００５】
一方、複数のフィルタを使用するユーザは、上述した特許文献１のフィルタ挿脱機構を平行レンズと集光レンズとの間に配置した場合、平行レンズと集光レンズとの相対距離が変化することによって、光線の開口数が足りなくなることで、標本に対して照明ムラが生じてしまうという問題点があった。照明ムラをなくすため、集光レンズを大きくすることが考えられるが、顕微鏡装置が大型化してしまうという問題点があった。
【０００６】
本発明は、上記に鑑みてなされたものであって、複数のフィルタを光路上に配置する場合であっても、大型化することなく、照明ムラを防止することができる顕微鏡装置を提供することを目的とする。
【課題を解決するための手段】
【０００７】
上述した課題を解決し、目的を達成するために、本発明に係る顕微鏡装置は、照明光を照射する光源部と、前記光源部が照射した照明光を所定の方向へ導く照明光学系と、前記照明光学系を収容する収容部を有するフレーム部と、前記光源部を収容するとともに、前記フレーム部に対して着脱自在に取り付けられたランプハウスと、前記照明光学系の光路に沿って該光路中に挿脱可能に配置されてなり、互いに異なる機能のフィルタを有する複数のフィルタ部と、を備え、前記ランプハウスと前記フレーム部との距離は、前記光路上における前記複数のフィルタ部の挿脱状況に関わらず、一定であることを特徴とする。
【０００８】
また、本発明に係る顕微鏡装置は、上記発明において、前記照明光学系は、前記照明光を拡散する拡散板を有し、前記複数のフィルタ部は、前記光源部と前記拡散板との間における前記光路上に配置されてなることを特徴とする。
【０００９】
また、本発明に係る顕微鏡装置は、上記発明において、前記光源部は、ＬＥＤであり、前記機能は、色温度補正および色補正のいずれか１つ以上であることを特徴とする。
【００１０】
また、本発明に係る顕微鏡装置は、上記発明において、前記ランプハウスは、筒状をなす挿入部であって、先端部の内周側に前記複数のフィルタ部を前記光路方向に沿って着脱自在に固定する固定部が設けられ、前記収容部に挿入されて取り付けられる挿入部を有することを特徴とする。
【００１１】
また、本発明に係る顕微鏡装置は、上記発明において、前記固定部の内周側には、雌ネジが形成され、前記フィルタ部は、前記フィルタと、外径が前記挿入部の内径と略一致する筒状をなし、外周側に前記雌ネジと螺合する雄ネジが形成され、内周側で前記フィルタを保持する第１筒部と、を有することを特徴とする。
【００１２】
また、本発明に係る顕微鏡装置は、上記発明において、筒状をなし、前記照明光学系の一部を収容し、前記挿入部の先端部に着脱自在に取り付けられ、前記収容部に挿入される光学ユニットをさらに備えることを特徴とする。
【００１３】
また、本発明に係る顕微鏡装置は、上記発明において、前記照明光学系は、前記照明光を標本に集光するコンデンサレンズと、前記コンデンサレンズの瞳面と共役な位置に前記照明光を集光するレンズと、を有し、前記複数のフィルタ部は、前記コンデンサレンズと前記レンズとの間における前記光路上に配置されてなることを特徴とする。
【発明の効果】
【００１４】
本発明に係る顕微鏡装置によれば、複数のフィルタを光路上に配置する場合であっても、大型化することなく、照明ムラを防止することができるという効果を奏する。
【図面の簡単な説明】
【００１５】
【図１】図１は、本発明の実施の形態１に係る顕微鏡装置の概略構成を示す模式図である。
【図２】図２は、本発明の実施の形態１に係るランプハウスおよびフレーム部の一部を含む模式的な断面図である。
【図３】図３は、本発明の実施の形態１に係る複数のフィルタ部をランプハウスに装着した際の模式的な断面図である。
【図４】図４は、本発明の実施の形態２に係る複数のフィルタ部をランプハウスに装着した際の模式的な断面を部分拡大した図である。
【図５】図５は、本発明の実施の形態２に係る複数のフィルタ部をランプハウスに装着した際の模式的な断面図である。
【図６】図６は、本発明の実施の形態２に係る顕微鏡装置の概略構成を示す模式図である。
【図７】図７は、本発明の実施の形態３に係るランプハウスおよびフレーム部の一部を含む模式的な断面図である。
【図８】図８は、本発明の実施の形態４に係る顕微鏡装置の概略構成を示す模式図である。
【図９】図９は、本発明の実施の形態４に係るフレーム部の一部を模式的に示す断面図である。
【発明を実施するための形態】
【００１６】
以下、本発明を実施するための形態を図面とともに詳細に説明する。なお、以下の実施の形態により本発明が限定されるものではない。また、以下の説明において参照する各図は、本発明の内容を理解でき得る程度に形状、大きさ、および位置関係を概略的に示してあるに過ぎない。すなわち、本発明は、各図で例示された形状、大きさおよび位置関係のみに限定されるものではない。
【００１７】
（実施の形態１）
〔顕微鏡装置の構成〕
図１は、本実施の形態１に係る顕微鏡装置の概略構成を示す模式図である。図１に示す顕微鏡装置１は、机上に載置されたフレーム部１０１と、標本ＳＰが載置されるステージ１０２と、ステージ１０２を垂直方向（上下方向）へ移動可能に保持する保持台１０３と、フレーム部１０１の内部に設けられた図示しないラックやピニオン等の機構を介して保持台１０３と接続され、保持台１０３を介してステージ１０２を垂直方向へ移動させる回転焦準部１０４と、フレーム部１０１に設けられ、標本ＳＰ上に配置する互いに倍率が異なる複数の対物レンズ１０５（対物レンズ１０５ａ、１０５ｂ）を選択的に光路Ｌ上に配置するレボルバ１０６と、フレーム部１０１に対して着脱可能に取り付けられ、標本ＳＰを照射する光線を投射する光源部１０７ａが設けられたランプハウス１０７と、光源部１０７ａから投射された光線を後述する照明光学系によって平行光に変換し、この平行光に変換された光線を標本ＳＰに向けて反射するミラー１０８と、ミラー１０８から反射された光線を標本ＳＰに照射するコンデンサレンズ１０９と、フレーム部１０１のアーム部１１０の上面に固定され、対物レンズ１０５を介して入射された標本ＳＰの観察像をミラー１１１ａに反射し、内部に設けられた図示しない結像レンズ等によって結像する鏡筒１１１と、鏡筒１１１に取り付けられ、接眼レンズ１１２によって標本ＳＰの観察像を拡大して観察する双眼部１１３と、光源部１０７ａが発する光の明るさを調整する調光信号の入力を受け付ける回転可能な調光入力部１１４と、光源部１０７ａに通信可能に接続され、調光入力部１１４から入力された調光信号に応じて光源部１０７ａの明るさを制御するＣＰＵ（Central  Processing  Unit）等によって構成された制御部１１５と、を備える。
【００１８】
〔ランプハウスを含むフレーム部の構成〕
次に、上述したランプハウス１０７およびフレーム部１０１の一部を含む詳細な構成について説明する。図２は、ランプハウス１０７およびフレーム部１０１の一部を含む模式的な断面図である。図３は、複数のフィルタ部をランプハウス１０７に装着した際の模式的な断面図である。図４は、複数のフィルタ部をランプハウスに装着した際の模式的な断面を部分拡大した図である。
【００１９】
〔フレーム部の構成〕
まず、フレーム部１０１の構成について説明する。
図２および図３に示すように、フレーム部１０１は、後述する照明光学系の一部を収容する収容部２００と、ランプハウス１０７から出射された平行光を均一にする拡散板２０１と、拡散板２０１を透過した光線をミラー１０８へ導光するレンズ２０２と、拡散板２０１とレンズ２０２とを所定の間隔で配置する円環状のスペーサー２０３と、フレーム部１０１の収容部２００内に設けられた図示しない雌ネジ部と螺合することによって、拡散板２０１、レンズ２０２およびスペーサー２０３をフレーム部１０１の収容部２００内に固定する雄ネジ部２０４と、筒状をなし、例えば光路Ｌと垂直な方向から図示しないネジ等によってランプハウス１０７を着脱自在に固定する固定部２０５と、を有する。
【００２０】
〔ランプハウスの構成〕
次に、ランプハウス１０７の構成について説明する。
図２および図３に示すように、ランプハウス１０７は、光源部１０７ａと、光源基板１０７ｂと、筐体部２１０と、挿入部２１１と、コレクタレンズ２１２と、固定ネジ部２１３と、フィルタ部２１４と、フィルタ部２１５と、フィルタ部２１６と、を有する。
【００２１】
光源部１０７ａは、光源基板１０７ｂに実装され、制御部１１５の制御のもと、所定の明るさで照明光を照射する。光源部１０７ａは、ＬＥＤランプを用いて構成される。
【００２２】
筐体部２１０は、略矩形状をなし、内部に光源部１０７ａおよび光源基板１０７ｂが設けられる。
【００２３】
挿入部２１１は、筒状をなし、先端部の内周側にフィルタ部２１４、フィルタ部２１５、フィルタ部２１６のいずれかを光路Ｌ方向に沿って着脱自在に固定する固定部として機能する雌ネジ部２１１ａが設けられている。挿入部２１１は、挿入部２１１の外径ｋ２が筐体部２１０の長さｋ１より小さく形成され、かつ、挿入部２１１の内径ｋ３が後述するフィルタ部２１４，２１５，２１６の外径と略同じ大きさで形成される。筐体部２１０および挿入部２１１は、一体的に形成される。また、挿入部２１１は、フレーム部１０１の収容部２００に挿入されて取り付けられる。
【００２４】
コレクタレンズ２１２は、挿入部２１１の内径Ｋ３と略同じ径を有する円環状の固定ネジ部２１３によって挿入部２１１の内部に固定される。コレクタレンズ２１２は、光源部１０７ａが投射した光線を平行光に変換して拡散板２０１に向けて出射する。
【００２５】
〔フィルタ部の構成〕
次に、フィルタ部２１４の構成について説明する。
図３および図４に示すように、フィルタ部２１４は、光路Ｌに沿って光路Ｌ上に挿脱可能に配置される。フィルタ部２１４は、第１筒部２１４ａと、第２筒部２１４ｂと、第３筒部２１４ｃと、フィルタ２１４ｄと、を有する。第１筒部２１４ａ、第２筒部２１４ｂおよび第３筒部２１４ｃは、一体的に形成される。
【００２６】
第１筒部２１４ａは、筒状をなし、外径ｋ４が挿入部２１１の内径ｋ３と略同じ大きさに形成される。第１筒部２１４ａは、内周側でフィルタ２１４ｄを保持する。また、第１筒部２１４ａは、外周側に、挿入部２１１の雌ネジ部２１１ａと螺合する雄ネジ部２１４ｅが設けられている。
【００２７】
第２筒部２１４ｂは、筒状をなし、内径が第１筒部２１４ａの外径ｋ４と同じ大きさに形成される。
【００２８】
第３筒部２１４ｃは、筒状をなし、内径が挿入部２１１の内径ｋ３と略同じ長さに形成され、外径ｋ５が挿入部２１１の内径ｋ３より大きく形成される。また、第３筒部２１４ｃの内周側に雌ネジ部２１４ｆが形成されている。
【００２９】
フィルタ２１４ｄは、光を透過し、光量、色温度および色等を変化させる。即ち、フィルタ２１４ｄは、減光調整、色温度補正および色補正のいずれか１つの機能を所定の機能として発揮する。なお、フィルタ部２１５およびフィルタ部２１６は、フィルタ部２１４と同様の構成を有する。具体的には、フィルタ部２１５は、第１筒部２１５ａと、第２筒部２１５ｂと、第３筒部２１５ｃと、フィルタ２１５ｄと、を有し、フィルタ部２１６は、第１筒部２１６ａと、第２筒部２１６ｂと、第３筒部２１６ｃと、フィルタ２１６ｄと、を有する。フィルタ部２１５およびフィルタ部２１６は、フィルタ２１４ｄ、フィルタ２１５ｄおよびフィルタ２１６ｄの機能が互いに異なるのみであるため、フィルタ部２１５およびフィルタ部２１６の構成の詳細な説明は、省略する。
【００３０】
このように構成された顕微鏡装置１は、光源部１０７ａから放射された光線がコレクタレンズ２１２によって平行光となり、拡散板２０１を透過する。これにより、光源部１０７ａから放射された光線は、均一な明るさとなる。拡散板２０１を透過した光線は、レンズ２０２によって緩やかに集光され、ミラー１０８によって偏光し、フレーム部１０１またはコンデンサレンズ１０９内の図示しないレンズによって、コンデンサレンズ１０９内の対物レンズ１０５の瞳面と共役な位置に集光される。なお、本実施の形態１では、ミラー１０８、コンデンサレンズ１０９、拡散板２０１、レンズ２０２およびコレクタレンズ２１２が照明光学系として機能する。なお、この照明光学系からフィルタ部２１４、フィルタ部２１５およびフィルタ部２１６のいずれか１つ以上を省略してもよい。
【００３１】
〔フィルタ部の装着方法〕
次に、上述した顕微鏡装置１に対して、フィルタ部２１４、フィルタ部２１５、フィルタ部２１６の装着方法について説明する。まず、ユーザは、ランプハウス１０７をフレーム部１０１の固定部２０５から取り外す。
【００３２】
次に、ユーザは、フィルタ部２１４の雄ネジ部２１４ｅを挿入部２１１の雌ネジ部２１１ａに螺合させて固定する。同様に、ユーザは、フィルタ部２１４の雌ネジ部２１４ｆにフィルタ部２１５の雄ネジ部２１５ｅを螺合させて固定するとともに、フィルタ部２１５の雌ネジ部２１５ｆにフィルタ部２１６の雄ネジ部２１６ｅを螺合させて固定する。なお、フィルタ部２１４、フィルタ部２１５およびフィルタ部２１６は、３枚以外、例えば４枚であってもよいし、１枚であってもよく、ユーザの使用状況に応じて適宜変更することができる。
【００３３】
最後に、ユーザは、光源部１０７ａが放射する光線の光路Ｌ上に、フィルタ部２１４、フィルタ部２１５およびフィルタ部２１６が装着されたランプハウス１０７をフレーム部１０１の固定部２０５に固定する。
【００３４】
このようにフィルタ部２１４、フィルタ部２１５およびフィルタ部２１６が装着されたことにより、光源部１０７ａから放射された光線は、コレクタレンズ２１２によって平行光となる。コレクタレンズ２１２によって平行光となった光線は、フィルタ部２１４、フィルタ部２１５およびフィルタ部２１６それぞれを透過し、光量、色温度および色等を変化させたのち、拡散板２０１に入射する。拡散板２０１を透過した光線は、レンズ２０２によって緩やかに集光され、ミラー１０８によって偏光し、フレーム部１０１またはコンデンサレンズ１０９内の図示しないレンズによって、コンデンサレンズ１０９内の対物レンズ１０５の瞳面と共役な位置に集光される。また、ランプハウス１０７とフレーム部１０１との距離は、光路Ｌ上におけるフィルタ部２１４、フィルタ部２１５およびフィルタ部２１６の挿脱状況に関わらず、一定である。
【００３５】
以上説明した本発明の実施の形態１によれば、フィルタ部２１４、フィルタ部２１５およびフィルタ部２１６それぞれを光源部１０７ａが放射する光線の光路Ｌ上に配置するとともに、光源部１０７ａ、コレクタレンズ２１２、拡散板２０１およびレンズ２０２の相対的な位置を、フィルタ部２１４、フィルタ部２１５およびフィルタ部２１６それぞれを配置しない状態（図２を参照）と同じ状態で維持することができ、ランプハウス１０７とフレーム部１０１との距離が光路Ｌ上におけるフィルタ部２１４、フィルタ部２１５およびフィルタ部２１６の挿脱状況に関わらず、一定であるため、照明ムラが生じることを防止することができる。
【００３６】
また、本発明の実施の形態１によれば、拡散板２０１より光源部１０７ａ側に、フィルタ部２１４、フィルタ部２１５およびフィルタ部２１６を配置することができるので、従来の顕微鏡装置のようにフィルタの面反射、屈折によるフレアやゴーストを防止することができる。
【００３７】
また、本発明の実施の形態１によれば、光源部１０７ａに、ＲＧＢの蛍光体を用いた超高演色ＬＥＤランプ以外を用いた場合、例えば照明光の演色性が非常に低いランプを用いた場合、フィルタ部２１４、フィルタ部２１５およびフィルタ部２１６を光路Ｌ上に配置することができるので、照明ムラが生じることを防止することができる。
【００３８】
また、本発明の実施の形態１によれば、色温度を微調整したい場合、フィルタ部２１４、フィルタ部２１５およびフィルタ部２１６を、色温度を変換することができるフィルタを保持したフィルタに交換することによって、ユーザが所望する色温度によって照明することができる。
【００３９】
また、本発明の実施の形態１によれば、ユーザが所望するフィルタの使用状態に応じた顕微鏡装置１を提供することができる。
【００４０】
また、本発明の実施の形態１によれば、フィルタ部２１４、フィルタ部２１５およびフィルタ部２１６を光路Ｌ上に配置した場合であっても、顕微鏡装置１内の光学部材の相対位置を維持することができるため、フィルタ部２１４、フィルタ部２１５およびフィルタ部２１６の配置の有無に関わらず、ユーザに最適な照明光学系を提供することができる。
【００４１】
また、本発明の実施の形態１によれば、フレーム部１０１に対してランプハウス１０７の位置が、従来の顕微鏡装置と変わらないため、フレーム部１０１を大型化せずに安価で専有面積が小さい顕微鏡装置１を提供することができる。
【００４２】
（実施の形態２）
次に、本発明の実施の形態２について説明する。本実施の形態２は、上述した実施の形態１に係るフレーム部１０１およびランプハウス１０７の構成が異なる。具体的には、上述した実施の形態１では、拡散板２０１およびレンズ２０２がフレーム部１０１の収容部２００に固定されていたが、本実施の形態２では、ランプハウスに対して着脱自在に装着される。以下においては、本実施の形態２に係るランプハウスを含む顕微鏡本体の構成について説明する。なお、上述した実施の形態１に係る顕微鏡装置１と同一の構成には同一の符号を付して説明を省略する。
【００４３】
〔ランプハウスを含む顕微鏡本体の構成〕
図５は、本実施の形態２に係るランプハウスおよびフレーム部の一部を含む模式的な断面図である。なお、図５では、フィルタ部２１４、フィルタ部２１５およびフィルタ部２１６が装着された状態を示す。図５に示す顕微鏡装置１ａは、フレーム部１０１ａと、ランプハウス３００と、光学ユニット３１０と、を備える。
【００４４】
〔フレーム部の構成〕
まず、フレーム部１０１ａの構成について説明する。
図５に示すように、フレーム部１０１ａは、上述した実施の形態１に係る拡散板２０１、レンズ２０２およびスペーサー２０３が省略され、固定部２０５にランプハウス３００を着脱自在に固定する。
【００４５】
〔ランプハウスの構成〕
次に、ランプハウス３００の構成について説明する。
図５に示すように、ランプハウス３００は、上述した実施の形態１の構成に加えて、標本ＳＰ側に、後述する光学ユニット３１０を着脱自在に固定する筒状をなす固定部３０１を有する。固定部３０１の内周面であって、標本ＳＰ側の内周面には、雄ネジ部３０１ａが設けられている。また、固定部３０１は、内径が挿入部２１１の内径より大きく、かつ、挿入部２１１の外径と同じ大きさに形成される。筐体部２１０、挿入部２１１および固定部３０１は、一体的に形成される。
【００４６】
〔光学ユニットの構成〕
次に、光学ユニット３１０の構成について説明する。
図５に示すように、光学ユニット３１０は、拡散板２０１と、レンズ２０２と、スペーサー２０３と、光学保持部３１１と、を有する。
【００４７】
光学保持部３１１は、筒状をなし、内部で照明光学系の一部である拡散板２０１、レンズ２０２およびスペーサー２０３を保持する。また、光学保持部３１１の光源部１０７ａ側であり、かつ、内周側に雌ネジ部３１１ａが設けられている。雌ネジ部３１１ａは、ランプハウス３００の固定部３０１の雄ネジ部３０１ａと螺合することによって、光学ユニット３１０がランプハウス３００の挿入部２１１の先端部に着脱自在に取り付けられる。
【００４８】
このように構成された顕微鏡装置１ａは、上述した実施の形態１に係る顕微鏡装置１と同様に、光源部１０７ａから放射された光線がコレクタレンズ２１２によって平行光となり、拡散板２０１を透過する。これにより、光源部１０７ａから放射された光線は、均一な明るさとなる。拡散板２０１を透過した光線は、レンズ２０２によって緩やかに集光され、ミラー１０８によって偏光し、フレーム部１０１ａまたはコンデンサレンズ１０９内の図示しないレンズによって、コンデンサレンズ１０９内の対物レンズ１０５の瞳面と共役な位置に集光される。
【００４９】
〔フィルタ部の装着方法〕
次に、上述した顕微鏡装置１ａに対して、フィルタ部２１４、フィルタ部２１５、フィルタ部２１６の装着方法について説明する。まず、ユーザは、ランプハウス３００をフレーム部１０１ａの固定部２０５から取り外す。
【００５０】
次に、ユーザは、ランプハウス３００と光学ユニット３１０とを逆方向に回転させて、光学ユニット３１０の雌ネジ部３１１ａとランプハウス３００の雄ネジ部３０１ａとを緩めてランプハウス３００と光学ユニット３１０とを分離する。
【００５１】
続いて、ユーザは、フィルタ部２１４の雄ネジ部２１４ｅを挿入部２１１の雌ネジ部２１１ａに螺合させて固定する。同様に、ユーザは、フィルタ部２１４の雌ネジ部２１４ｆにフィルタ部２１５の雄ネジ部２１５ｅを螺合させて固定するとともに、フィルタ部２１５の雌ネジ部２１５ｆにフィルタ部２１６の雄ネジ部２１６ｅを螺合させて固定する。
【００５２】
その後、ユーザは、ランプハウス３００と光学ユニット３１０とを回転させて、光学ユニット３１０の雌ネジ部３１１ａとランプハウス３００の雄ネジ部３０１ａとを螺合させることによって、ランプハウス３００と光学ユニット３１０とを固定する。
【００５３】
最後に、ユーザは、光源部１０７ａが放射する光線の光路Ｌ上に、光学ユニット３１０が装着されたランプハウス３００をフレーム部１０１ａの固定部２０５に固定する。
【００５４】
以上説明した本発明の実施の形態２によれば、上述した実施の形態１と同様の効果を奏し、フィルタ部２１４、フィルタ部２１５およびフィルタ部２１６それぞれを光路Ｌ上に配置した場合であっても、光源部１０７ａ、コレクタレンズ２１２、拡散板２０１およびレンズ２０２の相対的な位置を維持することができ、ランプハウス３００とフレーム部１０１ａとの距離が光路Ｌ上におけるフィルタ部２１４、フィルタ部２１５およびフィルタ部２１６の挿脱状況に関わらず、一定であるため、照明ムラが生じることを防止することができる。
【００５５】
（実施の形態３）
次に、本発明の実施の形態３について説明する。本実施の形態３は、上述した実施の形態１に係る顕微鏡装置１と構成が異なる。具体的には、上述した実施の形態１では、透過照明によって標本ＳＰを観察していたが、本実施の形態３は、落射照明によって標本ＳＰを観察する。以下においては、本実施の形態３に係る顕微鏡装置の構成について説明する。なお、上述した実施の形態１に係る顕微鏡装置１と同一の構成には同一の符号を付して説明を省略する。
【００５６】
〔顕微鏡装置の構成〕
図６は、本実施の形態３に係る顕微鏡装置の概略構成を示す模式図である。図６に示す顕微鏡装置１ｃは、上述した実施の形態１に係る顕微鏡装置１のフレーム部１０１に換えて、フレーム部１０１ｃを備える。さらに、顕微鏡装置１ｃは、上述した実施の形態１に係る顕微鏡装置１の構成に加えて、フレーム部１０１ｃのアーム部１１０ａに着脱自在に接続され、標本ＳＰを発する光源部４０１ａが設けられたランプハウス４０１と、光源部４０１ａから光線を後述する照明光学系によって平行光に変換された光線を標本ＳＰに向けて反射するミラー４０２と、光源部４０１ａが発する光の明るさを調整する調光信号の入力を受け付ける回転可能な調光入力部４０３と、光源部４０１ａに通信可能に接続され、調光入力部４０３から入力された調光信号に応じて光源部４０１ａの明るさを制御するＣＰＵ等によって構成された制御部４０４と、をさらに備える。
【００５７】
〔ランプハウスを含むフレーム部の構成〕
次に、上述したランプハウス４０１およびフレーム部１０１ｃの一部を含む詳細な構成について説明する。図７は、ランプハウス４０１およびフレーム部１０１ｃの一部を含む模式的な断面図である。
【００５８】
〔フレーム部の構成〕
まず、フレーム部１０１ｃの構成について説明する。
図７に示すように、フレーム部１０１ｃは、拡散板２０１と、レンズ２０２と、スペーサー２０３と、雄ネジ部２０４と、筒状をなし、例えば光路Ｌと垂直な方向から図示しないネジ等によってランプハウス４０１を着脱自在に固定する固定部２０５ｃと、を有する。
【００５９】
〔ランプハウスの構成〕
次に、ランプハウス４０１の構成について説明する。
図７に示すように、ランプハウス４０１は、光源部４０１ａと、光源基板４０１ｂと、筐体部２１０と、挿入部２１１と、コレクタレンズ２１２と、固定ネジ部２１３と、フィルタ部２１４と、フィルタ部２１５と、フィルタ部２１６と、を有する。
【００６０】
光源部４０１ａは、光源基板４０１ｂに実装され、制御部４０４の制御のもと、所定の明るさで発光する。光源部４０１ａは、ＬＥＤランプを用いて構成される。
【００６１】
このように構成された顕微鏡装置１ｃは、上述した実施の形態１と同様の操作に応じて、ランプハウス４０１に、フィルタ部２１４、フィルタ部２１５およびフィルタ部２１６それぞれが取り付けられたり、取り外されたりした後に、フレーム部１０１ｃに固定される。
【００６２】
以上説明した本発明の実施の形態３によれば、上述した実施の形態１と同様の構成を奏し、フィルタ部２１４、フィルタ部２１５およびフィルタ部２１６それぞれを光路Ｌ上に配置した場合であっても、光源部４０１ａ、コレクタレンズ２１２、拡散板２０１およびレンズ２０２の相対的な位置を維持することができ、ランプハウス４０１とフレーム部１０１ｃとの距離が光路Ｌ上におけるフィルタ部２１４、フィルタ部２１５およびフィルタ部２１６の挿脱状況に関わらず、一定であるため、照明ムラが生じることを防止することができる。
【００６３】
（実施の形態４）
次に、本発明の実施の形態４について説明する。本実施の形態４は、上述した実施の形態１に係る顕微鏡装置１と構成が異なる。具体的には、上述した実施の形態１では、光源部１０７ａと拡散板２０１との光路Ｌ上にフィルタ部２１４、フィルタ部２１５およびフィルタ部２１６それぞれを配置していたが、本実施の形態４では、ミラー１０８とコンデンサレンズ１０９との光路上にフィルタ部を配置する。以下においては、本実施の形態４に係る顕微鏡装置の構成について説明する。なお、上述した実施の形態１に係る顕微鏡装置１と同一の構成には同一の符号を付して説明を省略する。
【００６４】
〔顕微鏡装置の構成〕
図８は、本実施の形態４に係る顕微鏡装置の概略構成を示す模式図である。図８に示す顕微鏡装置１ｄは、上述した実施の形態１に係る顕微鏡装置１のフレーム部１０１、ステージ１０２およびコンデンサレンズ１０９に換えて、フレーム部１０１ｄ、ステージ１０２ｄおよびコンデンサレンズ５００を備える。
【００６５】
ステージ１０２ｄは、保持台１０３に固定され、回転焦準部１０４の操作に応じて垂直方向へ移動する。ステージ１０２ｄには、照明光を通過可能な開口であって、標本ＳＰが落下しない大きさに形成された開口（図示せず）が設けられている。
【００６６】
コンデンサレンズ５００は、ステージ１０２ｄの下面に設けられ、ステージ１０２ｄに接続される。コンデンサレンズ５００は、ミラー１０８から反射された光線を標本ＳＰに向けて照射する。
【００６７】
〔フレーム部の構成〕
次に、上述したフレーム部１０１ｄの一部を含む詳細な構成について説明する。図９は、フレーム部１０１ｄの一部を模式的に示す断面図である。
【００６８】
図９に示すように、フレーム部１０１ｄは、ミラー１０８から反射された光線が通過する収容部６００の内周側に、フィルタ部２１４、フィルタ部２１５およびフィルタ部２１６のいずれかを固定する固定部として機能する雌ネジ部６０１が設けられている。雌ネジ部６０１の径は、フィルタ部２１４、フィルタ部２１５およびフィルタ部２１６の外径と略同じ大きさで形成される。さらに、フレーム部１０１ｄには、雌ネジ部６０１とミラー１０８との間に、コンデンサレンズ５００内の対物レンズ１０５の瞳面と共役な位置に集光するレンズ６０２が設けられている。
【００６９】
このように構成された顕微鏡装置１ｄは、光源部１０７ａから放射された光線がコレクタレンズ２１２によって平行光となり、拡散板２０１を透過する。これにより、光源部１０７ａから放射された光線は、均一な明るさとなる。拡散板２０１を透過した光線は、レンズ２０２によって緩やかに集光され、ミラー１０８によって偏光する。ミラー１０８によって偏光された光線は、レンズ６０２によってコンデンサレンズ５００内の対物レンズ１０５の瞳面と共役な位置に集光する。
【００７０】
〔フィルタ部の装着方法〕
次に、上述した顕微鏡装置１ｄに対して、フィルタ部２１４、フィルタ部２１５、フィルタ部２１６の装着方法について説明する。
【００７１】
まず、ユーザは、フィルタ部２１４の雄ネジ部２１４ｅをフレーム部１０１ｄの雌ネジ部６０１に螺合させて固定する。同様に、ユーザは、フィルタ部２１４の雌ネジ部２１４ｆにフィルタ部２１５の雄ネジ部２１５ｅを螺合させて固定するとともに、フィルタ部２１５の雌ネジ部２１５ｆにフィルタ部２１６の雄ネジ部２１６ｅを螺合させて固定する。
【００７２】
以上説明した本発明の実施の形態４によれば、フィルタ部２１４、フィルタ部２１５およびフィルタ部２１６それぞれを光路Ｌ上に配置した場合であっても、光源部１０７ａ、コレクタレンズ２１２、拡散板２０１およびレンズ６０２の相対的な位置を維持することができるので、照明ムラが生じることを防止することができる。
【００７３】
また、本発明の実施の形態４によれば、フィルタ部２１４、フィルタ部２１５およびフィルタ部２１６のいずれかを固定する固定部として機能する雌ネジ部６０１を観察者の近くに設けたため、操作性の向上を図ることができる。
【００７４】
（その他の実施の形態）
本発明では、標本を観察する顕微鏡装置を例に説明したが、たとえば標本を拡大する対物レンズ、対物レンズを介して標本を撮像する撮像機能、および画像を表示する表示機能を備えた撮像装置、たとえばビデオマイクロスコープ等であっても、本発明を適用することができる。
【００７５】
また、本発明では、正立顕微鏡装置を例に説明していたが、もちろん、倒立顕微鏡装置であっても適用することができる。
【００７６】
また、本発明では、蛍光観察法など他の観察法との併用も可能である。
【００７７】
なお、本明細書の説明では、「まず」、「その後」、「続いて」等の表現を用いて各処理の前後関係を明示していたが、本発明を実施するために必要な処理の順序は、それらの表現によって一意的に定められるわけではない。すなわち、本明細書で記載した処理の順序は、矛盾のない範囲で変更することができる。
【００７８】
このように、本発明は、ここでは記載していない様々な実施の形態を含みうるものであり、請求の範囲によって特定される技術的思想の範囲内で種々の設計変更等を行うことが可能である。
【符号の説明】
【００７９】
１，１ａ，１ｃ，１ｄ  顕微鏡装置
１０１，１０１ａ，１０１ｃ，１０１ｄ  フレーム部
１０２，１０２ｄ  ステージ
１０３  保持台
１０４  回転焦準部
１０５，１０５ａ，１０５ｂ  対物レンズ
１０６  レボルバ
１０７，３００，４０１  ランプハウス
１０７ａ，４０１ａ  光源部
１０７ｂ，４０１ｂ  光源基板
１０８，４０２  ミラー
１０９，５００  コンデンサレンズ
１１０，１１０ａ  アーム部
１１１  鏡筒
１１２  接眼レンズ
１１３  双眼部
１１４  調光入力部
１１５  制御部
２００，６００  収容部
２０１  拡散板
２０２，６０２  レンズ
２０３  スペーサー
２０４，２１６ｅ，３０１ａ  雄ネジ部
２０５，２０５ｃ，３０１  固定部
２１０  筐体部
２１１  挿入部
２１１ａ，６０１  雌ネジ部
２１２  コレクタレンズ
２１３  固定ネジ部
２１４，２１５，２１６  フィルタ部
２１４ａ  第１筒部
２１４ｂ  第２筒部
２１４ｃ  第３筒部
２１４ｄ，２１５ｄ，２１６ｄ  フィルタ
２１４ｅ，２１５ｅ，２１６ｅ  雄ネジ部
２１４ｆ，２１５ｆ，２１６ｆ  雌ネジ部
３１０  光学ユニット
３１１  光学保持部
Ｌ  光路
ＳＰ  標本
【図１】
2018092076.tif 000003
【図２】
2018092076.tif 000004
【図３】
2018092076.tif 000005
【図４】
2018092076.tif 000006
【図５】
2018092076.tif 000007
【図６】
2018092076.tif 000008
【図７】
2018092076.tif 000009
【図８】
2018092076.tif 000010
【図９】
2018092076.tif 000011